(57)【特許請求の範囲】
【請求項１】
背板上に立ち上がるバックガードを、背板上部に取り付ける連結具を介して背板と並行させられるようにするもので、連結具によりバックガードを上下で保持するようにしたことを特徴とする引出し構造。
【請求項２】
背板上に立ち上がるバックガードを、背板上部に取り付ける連結具を介して背板と並行させられるようにするもので、連結具により背板外側で回動自在に繋ぐようにしたことを特徴とする引出し構造。
【発明の詳細な説明】
【０００１】
【発明の属する技術分野】
この発明は、システムキッチンや流し台などの厨房家具の引き出し構造に関するものであり、特に、引き出しの側板及び背板が前面板より低い最下段の引き出し、及びキャビネット内部に全体が収納され、しかも顧客の要請により設置高さを変えられる構造を採用した内引き出しに好適なものである。
【０００２】
【従来の技術】
近時のシステムキッチンや流し台の収納構造としては、図２５に示すようにシンク下やコンロ下のキャビネットの下に大型の引き出しと蹴込の奥を含む下段の引き出しを複数配して収納する構造が普及している。
【０００３】
出願人は特願２０００−３０１８５６において、図２６、図２７に示すように、キャビネットに配置した主引出しの内側に隠れる内引出しを設け、主引出しと内引出しを同時に或いは別途引き出す収納構造と、更に内引出しの取付位置の高さを可変にすることを想到した。
【０００４】
一般に、内引き出しは主引き出しの上部のスペースの有効活用を図るものであるため、図２６、図２７に示すように深さが浅く（６〜７ｃｍ）、仮に設置位置を低くしてビンなど背丈があり重心位置の高い物品や缶詰めなどを重ねて収納した場合、内引き出しの動きによって物品が奥に落下するという問題があった。
取付位置を可変とした内引き出しを深い構造とすれば避けられるが、上部に設置すると、その上の引き出しなどとのスペースから設置できないことになりかねなかった。
内引き出しを深さの異なる複数のタイプを用意すれば解決できるが、コスト高になるという問題が生じるばかりでなく、需要者が必要に応じ使い勝手に配慮して内引き出しの設置高さを変えることができないことになっていた。
【０００５】
さらに、従来より最下段の引き出しは、内部への物品の出し入れに配慮してか前面板は高いものの、側板及び背板を低いものとしていた。そこで、背板に近い箇所に背の高い物品を収納して出し入れすると、背板を乗り越えてキャビネット内に落ち込んで、引き出しの出し入れに支障を来したり、落ちた物品が損壊することがあった。
図２７のように内引き出しの高さを可変とし、上段に内引き出しを配置すると最下段の引き出しに高い収納物を入れられることになるが、出し入れに伴って引き出しの背面に収納物が落下する恐れが生じることになっていた。
【０００６】
【発明が解決しようとする課題】
本発明は、以上のような内引き出しの問題や最下段の引き出しの収納物の落下の問題を解決するためになしたものであり、引き出しの背板に付加部品としてのバックガードを設け収納物の後背への落下を防止できるようにし、バックガードが必要ないときは隠すことができるようにすることを目的とする。
【０００７】
【課題を解決するための手段】
請求項１の引出し構造の発明は、背板上に立ち上がるバックガードを、背板上部に取り付ける連結具を介して背板と並行させられるようにするもので、連結具によりバックガードを上下で保持するようにしたものである。
請求項２の引出し構造の発明は、背板上に立ち上がるバックガードを、背板上部に取り付ける連結具を介して背板と並行させられるようにするもので、連結具により背板外側で回動自在に繋ぐようにしたことを特徴とするものである。
【０００８】
【発明の実施の形態】
以下図面に示すこの発明の実施の形態に即して説明する。
図１乃至図３は、引き出しＡの背板１に門形のパイプからなるバックガード２を上下動可能に設けるものである。
具体的には背板１の上端を外側に水平に屈曲して平坦面１１を設け、この平坦面１１の両端部に取付穴１２を穿ち、取付穴１２の上下面にバックガード２を持ち上げたときに保持する管状の連結具３を設けてバックガード２を上下するようにしている。
この連結具３は上部に持ち上げたときに掛止乃至掴持されるような構造とし、さらに掛止乃至掴持を外せるようになっている。
【０００９】
図４に示すように、バックガード２の脚に切欠を入れ、連結具３に嵌め外し自在として上部では嵌めることができるよう平坦面１１上に位置する円環を操作部として持ち上げることで内装した弾発する部材の掛止を外して落とし込むようにするなどしてバックガード２を上下動自在としたりすることができる。
また、図５に示すように、連結具３を嵌め外し自在の二部材とし取付穴１２を介して嵌め合わせるとバックガード２を挟み込むようにすることで上部で保持することができるようにしても良い。
その他、連結具３とバックガード２の脚を互いに迅速継手として容易に嵌め外し自在としても良い。この場合バックガード２を用いないときは、背板１の背面に吊り下げるようにし、バックガード２を立ち上げ可能とする。
さらには、バックガード２の脚に直交する穴を設けてピンを差し込んで止めるようにしたりすることもできる。
【００１０】
図６乃至図８は、ネット状としたバックガード２を背板１の背面に嵌め込んだ連結具３により回動自在に設けるようにしたもので、いわばバックガード２を背板１の背後で起倒自在としたものである。詳細な図示は省略するが、バックガード２を立ち上がらせたときには収納物が凭れ倒れかかっても良いように保持し、倒したときには、引き出しの動きによって背板１に衝突しないよう垂直に保持される構造とすることが望ましい。
【００１１】
図９乃至図１１は、荒いネット状のバックガード２を回動自在にするものであるが、背板１の上部及び平坦面１１上面を跨ぐ連結具３をビス４により固定するようにし、この連結具３に起倒自在としたものである。
詳細な図示は省略するが、連結具３内にバネ板を内装するなどしてバックガード２が立ち上がったときと、倒したときに確実に保持するような構造とするようにする。
【００１２】
図１２乃至図１９は、同じく棒杆にて荒いネット状としたバックガード２を、ビス４及びナット５により背板１の上部及び平坦面１１に固定する連結具３により背後で回動自在とするものである。
バックガード２の連結具３へ挿入する支脚２１の端部は押し潰して前後に拡がるように尖らせるとともに端縁は扁平とし線状となるようにしてある。
【００１３】
連結具３は、プラスチックの一体成形品よりなる挟持体３１と軸棒３２よりなるものである。
挟持体３１は、全体を鞍状として両側板３１ａの間に鞍部３１ｂを備えて背板１の上部及び平坦面１１を跨ぐようにすると共に鞍部３１ｂの使用状態における上面部３１ｃには窓穴３１ｄを設け、この窓穴３１ｄの下方で背板１上部の背面及び平坦面１１の裏面に臨み側面視Ｌ形の間隙３１ｅをもった直方体状の突部３１ｆを設けることで背板１にスライドさせて挿入できるようにしてある。
この突部３１ｆにはビス４の挿通穴３１ｇを穿ってある。この挿通穴３１ｇに臨んで上下に原材料の節約のため窓穴３１ｈ、３１ｉを設けると共に、先端に近い箇所にはナット５を圧入するナット用凹部３１ｊを形成するようにしている。更にこのナット用凹部３１ｊの先の上部には、ナット５の幅で挿通穴３１ｇ及び先端に繋がる溝部３１ｋを設けてある。
【００１４】
鞍部３１ｂの上面部３１ｃとビス４の挿通穴３１ｇを備える垂直部３１ｍとは弧状面３１ｎを介して連続するようになっており、垂直部３１ｍからさらに水平部３１ｏを備えるようにしている。この水平部３１ｏの開放端の中央からはバックガード２の支脚２１の先端の逃げとなるとともにバックガード２の支脚２１の嵌り込む切欠溝３１ｐを設けてあると共に、水平部３１ｏの裏面からはバックガード２を倒したときに、その横杆２２の嵌り込む凹溝３１ｑを設けてある。
【００１５】
両側板３１ａには、バックガード２を立ち上がらせたときに、その横杆２２を受ける弧状凹部３１ｒを設けてあり、この弧状凹部３１ｒの下には軸穴３１ｓを穿っている。軸穴３１ｓの周囲及び下方の両側板３１ａは肉薄として、弧状面３１ｎより垂直で上に続く段部３１ｔを設けて軸棒３２のストッパーとする。
また、両側板３１ａの内側で軸穴３１ｓより上部に扇状に浅い凹陥部３１ｕを設けて、軸棒３２を強制的に入れ易くしてある。
【００１６】
軸棒３２は両側端に挟持体３１の軸穴３１ｓに遊嵌する突起３２ａを設け、本体３２ｂは、段部３１ｔに当接する箇所、及びバックガード２として使用するとき上部となる箇所を断面Ｌ形の平坦面３２ｃとしたほぼ円柱体をなし、使用状態における上面には樋状の凹部３２ｄを設けてバックガード２の横杆２２を受けるようにしてあり、下面には欠設部３２ｅを設けてある。そして中央には凹部３２ｄから欠設部３２ｅに至る土星状の貫通穴３２ｆを穿っている。これはバックガード２の拡がった支脚２１を直交させて挿入できるようにするためである。欠設部３２ｅにより拡がったバックガード２の支脚２１の先端の拡がりを軸棒３２の厚みに吸収できるようにしてバックガード２を回動させ易くしている。
【００１７】
このような構成からなる連結具３を組み立てるには、軸棒３２を挟持体３１の両側板３１ａの凹陥部３１ｕに落とし込むと共に両側板３１ａを広げて強制的に押し込んで、その突起３２ａが挟持体３１の軸穴３１ｓに遊嵌させるのである。
このようにしてなる連結具３のナット用凹部３１ｊにはナット５を圧入しておく。そして、バックガード２の支脚２１に軸棒３２に直交するように挿入してから９０度回動させて、バックガードの横杆２２が連結具３の弧状凹部３１ｒ及び樋状の凹部３２ｄと対峙するようにする。
バックガード２を取り付けた連結具３は、背板１の側端から、その間隙３１ｅによりスライドさせて挿入させ、位置決めしてからバックガード２を背板１の上部に起し、挿通穴３１ｇからビス４を入れナット５を介して背板１の背面に先端を圧接させて固定するのである。
【００１８】
その状態からバックガード２全体を下げると、支脚２１が落ち込むと共に、横杆２２が連結具３の弧状凹部３１ｒ及び樋状の凹部３２ｄに入り込み、さらに、平坦面３２ｃが垂直で上に続く段部３１ｔに当接することでストッパーとなりバックガード２の起立状態を維持することになる。（図１２等参照）
一方、バックガード２を使わないときは、バックガード２を持ち上げて、支脚２１の先端を、軸棒３２の下面の欠設部３２ｅに衝き当てるようにしてから、バックガード２を奥に回動させると、バックガード２が背板１に沿うように背面に位置することになる。このとき、連結具３の挟持体３１の凹溝３１ｑにバックガード２の横杆２２が嵌り込むことで保持され、引き出しの出し入れでバックガード２が揺れることはない。
【００１９】
図２０乃至図２４は、アルミニウムの押出成形品にて形成したバックガード２を、ビス４及びナット５により背板１の上部及び平坦面１１に固定するプラスチック製の連結具３により背後で回動自在とするものである。
連結具３は、バックガード２の側端縁に被せるエンドキャップ３３と、背板１の上部及び平坦面１１を跨ぐ挟持体３４と、バックガード２、エンドキャップ３３及び挟持体３４を貫通する軸棒３５とからなるものである。
【００２０】
バックガード２は、長手方向の一端縁をコ字状に折り込み掴み易くしてあり、他端部には断面蟻溝状の筒体２５を形成してなるもので、側端部にエンドキャッ３３を固定するための窓穴２６を複数穿っている。また、窓穴２６とほぼ直線状をなす筒体２５に近接する端縁部には門型をなすビス４の逃げ穴２７を形成してある。この逃げ穴２７の左右は端縁はバックガード２を立ち上がらせたときに形態を保持する差込片２８となる。
【００２１】
エンドキャップ３３はバックガード２の前面側端を被う前板３３ａと、側端を塞ぐ側板３３ｂよりなるもので、前板３３ａには窓穴２６に嵌り込む内向きの嵌合部３３ｃを形成してあり、側板３３ｂには筒体２５に対応する丸穴３３ｄを穿っている。嵌合部３３ｃと並ぶ箇所には窓穴３３ｅを設けている。
このエンドキャップ３３は筒体２５までの高さとして、逃げ穴２７及び差込片２８は塞がないものとしている。
【００２２】
挟持体３４は、背板１の上部及び平坦面１１を跨ぐようにコ字状にすると共に平坦面１１側を肉厚にしてバックガード２の筒体２５側の先端の差込片２８を受け入れる深溝３４ａを形成し、使用状態における上面部３４ｂには窓穴３４ｃを設け、この窓穴３４ｃの下方で背板１上部の背面及び平坦面１１の裏面に臨み側面視Ｌ形の間隙３４ｄをなすよう直方体状の突部３４ｅを設けることで背板１にスライドさせて挿入できるようにしてある。この突部３４ｅにはビス４の挿通穴３４ｆを穿ってある。この挿通穴３４ｆに臨んで上部に窓穴３４ｇを設けると共に、先端に近い箇所にはナット５を圧入するナット用凹部３４ｈを形成するようにしている。
また、一側には軸棒３５がスライドできる長円孔３４ｉを穿った側板３４ｊを設けている。これは、組み付け状態の儘でエンドキャップ３３を付けたバックガード２が挟持体３４に対してスライド可能とするためである。
【００２３】
バックガード２に予め連結具３を組み付けるのであるが、図２０及び図２１に示すように、そのエンドキャップ３３をバックガード２の両側に被せてから、軸棒３５をエンドキャップ３３の丸穴３３ｄからバックガードの筒体２５の端に差し込み、さらに、挟持体３４の長円孔３４ｉと合わせて側端をピンやかしめるなどして全体を一体とすると共に、挟持体３４とエンドキャップ３３を被せたバックガード２を回転自在に繋ぐようにする。
なお、先に軸棒３５をバックガード２の筒体２５に入れておいても良い。
【００２４】
引き出しの背板１に取り付けるには、挟持体３４の間隙３４ｄにより背板１の側端からスライドさせるようにして入り込ませる。そして、バックガード２を持ち上げるか前に倒して、ビス４の挿通穴３４ｆを露出させ、ビス４を通して、予めナット用凹部３４ｈに嵌め込んでおいたナット５にねじ込み先端を背板１の背面に圧接させることで固定するのである。
バックガード２は軸棒３５で挟持体３４により固定されているので、背板１の背後で回動自在となるのである。
【００２５】
バックガード２として使わないときは、図２２、図２３に示すように、背板１と並行となるように背後に倒しておくことになる。
バックガード２を使うとき（図２４参照）は、バックガード２を回動させて垂直にし、次いで、挟持体３４の長円孔３４ｉにより垂直方向に落とし込むことで、その差込片２８が深溝３４ａに入り込み起立状態が保持されることになる。
バックガード２を背板１の背後に倒すときは反対の操作をすることで容易になすことができる。
【００２６】
なお、図１２乃至図２４の実施の形態において、連結具３をバックガード２の両端部に配するものとして説明したが、引き出しが横長であるときは両端以外に中央部に一乃至複数の連結具３を配置するようにすることが望ましい。
さらに、これまでの実施の形態では、連結具３を背板１に配置するものとして説明したが、背板及び側板に跨がるようなものとすることもできる。
【００２７】
加えて、これまでの実施の形態では、バックガード２が背板１の背後で上下動乃至回動自在とするものとした。これは、バックガードとして使用しないときに隠れる背後となって使い勝手が良いことによるものである。
【００２８】
【発明の効果】
この発明は以上のような構成からなるもので、基本的には、内引出しや最下段の引き出しの収納物の背後への落下を防ぐ、付加部品としてのバックガードを設けるようにしたものであり、また、顧客の要請により設置高さを変えられる構造を採用した内引き出しに好適なものといえる。
そしてこの発明では、背板上部に取り付ける連結具によりバックガードが上下で保持されるか、回動自在に繋ぐようにしたので、バックガードが必要ないときは背板の外側に沿って並行させ隠すことができるのである。
【図面の簡単な説明】
【図１】  この発明に係る引き出し構造の要部斜視図である。
【図２】  バックガードを使わない場合の概略側面図である。
【図３】  バックガードを立てた状態の概略側面図である。
【図４】  連結具の一例を示す斜視図である。
【図５】  同じく連結具の一例を示す斜視図である。
【図６】  別の実施の形態を示す要部斜視図である。
【図７】  図６で背板の背後にバックガードを置いた状態の概略側面図である。
【図８】  図６の概略側面図である。
【図９】  さらに別の実施の形態を示す引き出し構造の要部斜視図である。
【図１０】  図９の概略側面図である。
【図１１】  バックガードを背板の背後においた状態の概略側面図である。
【図１２】  別の実施の形態を示す引き出しの背面図である。
【図１３】  使用状態の側面図である。
【図１４】  バックガードを倒した状態の平面図である。
【図１５】  連結具の挟持体の斜視図である。
【図１６】  挟持体の中央縦断面図である。
【図１７】  軸棒の平面図である。
【図１８】  軸棒の正面図である。
【図１９】  軸棒の縦断面図である。
【図２０】  別の実施の形態を示すバックガード、連結具の斜視図である。
【図２１】  バックガード、連結具の組み立て状態の斜視図である。
【図２２】  連結具と背板の取り付け状態を示す平面図である。
【図２３】  引き出しにバックガードを立てた状態の概略側面図である。
【図２４】  引き出しの背後にバックガードを倒した状態の概略側面図である。
【図２５】  従来例の正面から見た斜視図
【図２６】  従来例の側面から見た概略図である。
【図２７】  高さを可変とした内引き出しを示す概略図である。
【符号の説明】
１  背板
１１  平坦面
２  バックガード
２１  支脚
３  連結具
３１  挟持体
３２  軸棒
４  ビス
５  ナット
【図１】
0004642259.tif 000002
【図２】
0004642259.tif 000003
【図３】
0004642259.tif 000004
【図４】
0004642259.tif 000005
【図５】
0004642259.tif 000006
【図６】
0004642259.tif 000007
【図７】
0004642259.tif 000008
【図８】
0004642259.tif 000009
【図９】
0004642259.tif 000010
【図１０】
0004642259.tif 000011
【図１１】
0004642259.tif 000012
【図１２】
0004642259.tif 000013
【図１３】
0004642259.tif 000014
【図１４】
0004642259.tif 000015
【図１５】
0004642259.tif 000016
【図１６】
0004642259.tif 000017
【図１７】
0004642259.tif 000018
【図１８】
0004642259.tif 000019
【図１９】
0004642259.tif 000020
【図２０】
0004642259.tif 000021
【図２１】
0004642259.tif 000022
【図２２】
0004642259.tif 000023
【図２３】
0004642259.tif 000024
【図２４】
0004642259.tif 000025
【図２５】
0004642259.tif 000026
【図２６】
0004642259.tif 000027
【図２７】
0004642259.tif 000028